(57)【特許請求の範囲】
【請求項１】
非据え付け型の水洗大便器装置であって、
便器本体と、
この便器本体に洗浄水を供給する給水手段と、
上記便器本体から洗浄水と共に排出された汚物を粉砕する粉砕部と、
この粉砕部により粉砕された汚物と洗浄水を圧送する圧送部と、
この圧送部により圧送された汚物と洗浄水を外部に排出するための可撓性の排水管と、
上記粉砕部と圧送部との間に設けられ、粉砕部で所定以下の大きさに粉砕された汚物を通過させて圧送部に送る通過規制部と、を有し、
上記圧送部は、
この圧送部の内側に配置され且つ上記圧送部内で回転するインペラと、
上記圧送部の中央部に形成された流入口と、
上記圧送部の外周部に形成された流出口と、上記インペラ上で上記流入口から外周に向けて延びる径方向流路と、
上記圧送部の周方向流路外側壁と上記インペラとの間に形成され、且つ上記インペラの外周を周方向に延びる周方向流路と、を備えた遠心式の圧送部であり、
上記周方向流路は、
その全周のうち０°の位置に設けられる最も幅の狭い開始部と、
上記圧送部の上記周方向流路外側壁の接線方向に沿ってほぼ直線的に延び、上記開始部分の外側の３６０°の位置を通るように形成されている流出口部と、
上記開始部と、上記流出口部との間において流路が分岐される分岐部と、
上記流出口部と直線的な流路を形成するように、上記流出口部に接続されるストレート部と、
を備え、
上記圧送部の上記周方向流路外側壁は、上記０°の位置の上記開始部から所定角度の位置の変化点まで、上記インペラの回転方向に向かって、上記圧送部の中心から上記周方向流路外側壁までの半径が一定の増加率で徐々に増加し、上記周方向流路の幅を徐々に増加させるように形成され、さらに、上記所定角度の変化点は、１８０°〜２７０°のいずれかの位置に形成され、さらに、上記変化点の下流側に設けられる上記ストレート部を長くするように、上記変化点の下流側における上記周方向流路外側壁の半径の増加率を、上記変化点の上流側における半径の上記一定の増加率よりも増加させ、上記変化点の下流側の上記周方向流路の幅を広げるように形成されている、水洗大便器装置。
【請求項２】
上記圧送部の上記周方向流路外側壁は、上記周方向流路外側壁の変化点の近傍において、この変化点よりも下流側領域における上記圧送部の中心から上記周方向流路外側壁までの半径の増加率が、上記変化点よりも上流側領域における上記圧送部の中心から上記周方向流路外側壁までの半径の増加率の１．２倍以上且つ２０倍以下の範囲に形成されている、請求項１に記載の水洗大便器装置。
【請求項３】
上記圧送部の上記周方向流路外側壁は、上記変化点から上記ストレート部に至るまでの領域における半径の増加率をほぼ一定とする、請求項１又は２に記載の水洗大便器装置。
【発明の詳細な説明】
【技術分野】
【０００１】
本発明は、水洗大便器装置に係り、特に、非据え付け型の水洗大便器装置に関する。
【背景技術】
【０００２】
特許文献１には、使用者の居室内のベッドサイドに配置され介護用トイレとして使用される非据え付け型の水洗大便器装置（圧送式便器装置）が提案されている。この水洗大便器装置は、粉砕部において水流の攪拌により汚物を粉砕し、この粉砕した汚物を圧送部が圧送して外部に排水するようになっている。
【０００３】
この従来の水洗大便器装置においては、汚物やトイレットペーパー以外の異物（粉砕できない異物）が誤って流された場合でも、異物は貯水槽内に滞留し、電動モーター等の駆動手段がロックして使えなくなることがないようになっているので、使用者は、便器装置の使用を継続することができる。居室内のベッドサイドに配置される介護用トイレとして使用される水洗大便器装置において、この異物対策は、商品事業の成立を作用する極めて重要な課題である。
【０００４】
また、ベッドサイドに配置される介護用トイレは、細かく粉砕した汚物を細くて長い排水ホースを介して外部（屋外の排水管）に排出するようになっているので、比較的小型且つ安価で高揚程が実現可能な遠心式ポンプを採用することが好ましい。しかしながら、この遠心式ポンプは、高い圧力を発生させるために流路を狭くする必要があり、そのため、大きな汚物等が流入すると流路が詰まるという問題がある。
このため、特許文献１の便器装置では、粉砕部にて所定以下の大きさまで粉砕された微細物のみが圧送部に流入するようにして、圧送部の流路詰まりを防止している。
【先行技術文献】
【特許文献】
【０００５】
【特許文献１】特許第５４９５１９１号
【発明の概要】
【発明が解決しようとする課題】
【０００６】
これに対し、本発明の発明者らは、比較的小型且つ高い圧力を発生させる遠心式ポンプを形成するために、流路を狭くし且つシンプルとした圧送部を検討した。
【０００７】
しかしながら、上述したように、水洗大便器装置には、汚物やトイレットペーパー以外の異物が誤って流される場合があるが、特に「ボックスティッシュ」、「流せるおしり拭き」、「流せるティッシュ」及び「流せるお掃除用シート」等のような異物は、粉砕部にて繊維状の状態までしか粉砕されない異物（中途半端にしか粉砕できない異物）であり、最近、このような異物が使用されるようになってきた。この繊維状の異物は、粉砕部にて繊維状の状態まで粉砕され、小さくなるので、圧送部に流入することとなる。この繊維状の異物は、圧送部に流入し、圧送部の狭い流路に引っ掛かり易く、また、この引っ掛かった繊維状の異物が次々と新たな繊維状の異物が絡まり合って大きく成長し、やがて圧送部内の狭い流路を塞ぐという、新たな課題が生ることとなった。
【０００８】
そこで、本発明は、上述した課題を解決するためになされたものであり、高揚程を実現可能な遠心式圧送部（遠心式ポンプ等）を用い、粉砕部にて繊維状の状態までしか粉砕できない異物が流された場合であっても、繊維状の異物が分岐部に引っ掛かることにより絡まり合って成長し、周方向流路を詰まらせることを防止できる非据え付け型の水洗大便器装置を提供することを目的とする。
【課題を解決するための手段】
【０００９】
上述した目的を達成するために、本発明は、非据え付け型の水洗大便器装置であって、便器本体と、この便器本体に洗浄水を供給する給水手段と、便器本体から洗浄水と共に排出された汚物を粉砕する粉砕部と、この粉砕部により粉砕された汚物と洗浄水を圧送する圧送部と、この圧送部により圧送された汚物と洗浄水を外部に排出するための可撓性の排水管と、粉砕部と圧送部との間に設けられ、粉砕部で所定以下の大きさに粉砕された汚物を通過させて圧送部に送る通過規制部と、を有し、圧送部は、この圧送部の内側に配置され且つ圧送部内で回転するインペラと、圧送部の中央部に形成された流入口と、上記圧送部の外周部に形成された流出口と、インペラ上で流入口から外周に向けて延びる径方向流路と、圧送部の周方向流路外側壁とインペラとの間に形成され、且つインペラの外周を周方向に延びる周方向流路と、を備えた遠心式の圧送部であり、周方向流路は、その全周のうち０°の位置に設けられる最も幅の狭い開始部と、圧送部の周方向流路外側壁の接線方向に沿ってほぼ直線的に延び、開始部分の外側の３６０°の位置を通るように形成されている流出口部と、開始部と、流出口部との間において流路が分岐される分岐部と、流出口部と直線的な流路を形成するように、流出口部に接続されるストレート部と、を備え、圧送部の周方向流路外側壁は、０°の位置の開始部から所定角度の位置の変化点まで、インペラの回転方向に向かって、圧送部の中心から周方向流路外側壁までの半径が一定の増加率で徐々に増加し、周方向流路の幅を徐々に増加させるように形成され、さらに、所定角度の変化点は、１８０°〜２７０°のいずれかの位置に形成され、さらに、変化点の下流側に設けられるストレート部を長くするように、変化点の下流側における周方向流路外側壁の半径の増加率を、変化点の上流側における半径の一定の増加率よりも増加させ、変化点の下流側の周方向流路の幅を広げるように形成されている。
このように構成された本発明においては、便器本体に例えば「ボックスティッシュ」や「流せるおしり拭き」のような異物が流されると、粉砕部で粉砕されて繊維状となり圧送部に流入する。流入口から圧送部内に流入する繊維状の異物及び洗浄水は、インペラの回転によって発生する遠心力によって径方向流路から外側の周方向流路に流れる。周方向流路内の異物及び洗浄水は、周方向流路を周回し、流出口部から流出する。しかしながら、この際に、繊維状の異物が開始部と、流出口部との間において流路が分岐される分岐部に引っ掛かり、引っ掛かった繊維状の異物に次々と新たな繊維状の異物が絡まり合って大きく成長し、周方向流路を詰まらせるという新しい問題が発生する。しかしながら、本実施形態による水洗大便器装置によれば、圧送部の周方向流路外側壁は、変化点の下流側に設けられるほぼ直線状の流路を長くするように、変化点の下流側における周方向流路外側壁の半径の増加率を、変化点の上流側における半径の一定の増加率よりも増加させ、変化点の下流側の周方向流路の幅を広げるように形成されている。従って、流出口部に至るほぼ直線状の流路が比較的長くなるため、繊維状の異物が流出口部に向かう際の繊維状の異物の姿勢を直線的な流れに沿う向きに向かせることができ、繊維状の異物が分岐部に引っ掛かることを防止し、これにより、引っ掛かった繊維状の異物に次々と新たな繊維状の異物が絡まり合って大きく成長し、周方向流路を詰まらせることを防止できる。
【００１０】
本発明において、好ましくは、圧送部の周方向流路外側壁は、周方向流路外側壁の変化点の近傍において、この変化点よりも下流側領域における圧送部の中心から周方向流路外側壁までの半径の増加率が、変化点よりも上流側領域における圧送部の中心から周方向流路外側壁までの半径の増加率の１．２倍以上且つ２０倍以下の範囲に形成されている。
このように構成された本発明においては、圧送部の周方向流路外側壁は、変化点の下流側に設けられるほぼ直線状の流路を長くするように、変化点の下流側における周方向流路外側壁の半径の増加率を、変化点の上流側における半径の一定の増加率よりも所定の範囲で増加させ、変化点の下流側の周方向流路の幅を広げるように形成されている。従って、より確実に流出口部に接続されるほぼ直線状の流路が長くなるため、繊維状の異物が流出口部に向かう際の繊維状の異物の姿勢を直線的な流れに沿う向きに向かせることができ、繊維状の異物が分岐部に引っ掛かることをより確実に防止することができる。
【００１１】
本発明において、好ましくは、圧送部の周方向流路外側壁は、変化点からストレート部に至るまでの領域における半径の増加率をほぼ一定とする。
このように構成された本発明においては、変化点からストレート部に至るまでの領域において、汚物及び洗浄水が乱れることを抑制することができる。従って、流出口部から流出する汚物及び洗浄水が乱れることを抑制することができる。
【発明の効果】
【００１２】
本発明の非据え付け型の水洗大便器装置によれば、高揚程を実現可能な遠心式圧送部（遠心式ポンプ等）を用い、粉砕部にて繊維状の状態までしか粉砕できない異物が流された場合であっても、繊維状の異物が分岐部に引っ掛かることにより絡まり合って成長し、周方向流路を詰まらせることを防止できる。
【図面の簡単な説明】
【００１３】
【図１】本発明の実施形態による水洗大便器装置を示す全体斜視図である。
【図２】本発明の実施形態による水洗大便器装置を示す全体構成図である。
【図３】本発明の実施形態による水洗大便器装置の粉砕圧送装置を示す断面図である。
【図４】図３の粉砕圧送装置の圧送部を示す拡大断面図である。
【図５】図４の粉砕圧送装置の圧送部のポンプ室を下部カバーが取り外された状態で斜め下方から見た外観図である。
【図６】図４の粉砕圧送装置の圧送部のポンプ室における汚物及び洗浄水の流れを概略的に示す図である。
【図７】比較例の水洗大便器装置の粉砕圧送装置における圧送部のポンプ室における汚物及び洗浄水の流れを概略的に示す図である。
【図８】角度に対する周方向流路の幅の変化を、本実施形態の水洗大便器装置における圧送部のものと、比較例の水洗大便器装置における圧送部のものとで比べた結果を示す図である。
【発明を実施するための形態】
【００１４】
次に、添付図面を参照して、本発明の実施形態による水洗大便器装置について説明する。最初に、図１及び図２により、本発明の実施形態による水洗大便器装置の全体構造を説明する。図１は本発明の実施形態による水洗大便器装置を示す全体斜視図であり、図２は本発明の実施形態による水洗大便器装置を示す全体構成図である。
【００１５】
図１に示すように、本実施形態による水洗大便器装置１は、ベッドサイドに配置される介護用トイレとして使用可能な非据え付け型の水洗大便器装置である。水洗大便器装置１は、便器本体２と、便器本体２から排出される汚物及び洗浄水を粉砕し且つ圧送する粉砕圧送装置４と、便器本体２に洗浄水を供給するための可撓性の屋内給水管６と、粉砕圧送装置４から汚物及び洗浄水を排出するための可能性の屋内排水管８（排水管）と、を備えている。
【００１６】
また、水洗大便器装置１は、非据え付け型で移動可能であるので、便器本体２の下面には、複数の脚１２が取り付けられ、この脚１２により、便器本体２を床１０上で支持するようになっている。さらに、便器本体２には、跳ね上げ式のアームレスト１４が取り付けられ、使用者の立ち座りをサポートし、さらに、座った状態のバランスを確保できるようになっている。
【００１７】
図２に示すように、水洗大便器装置１は、建物１６の屋内１６ａの床１０上に配置されている。また、屋内給水管６は、屋外１６ｂに配置された屋外給水管１８に接続され、屋内排水管８は屋外１６ｂに配置された屋外排水管２０に接続されている。このようにして、本実施形態による水洗大便器装置１は、便器本体２に排出された汚物を屋外に排出できるようになっている。
【００１８】
図２に示すように、水洗大便器装置１の便器本体２は、便器本体２の前方側に設けられた汚物を受けるボウル部２２と、ボウル部２２の後方上部に設けられボウル部２２に洗浄水を供給するための給水装置２４（給水手段）と、ボウル部２２の底部と連通するように設けられた汚物を洗浄水と共に排出する排水トラップ管路２６と、を備えている。給水装置２４は、屋内給水管６の下流端に接続された給水弁２８と、この給水弁２８から洗浄水をボウル部２２に給水するための導水路３０を備えている。また、排水トラップ管路２６の下流端には、粉砕圧送装置４に汚物と洗浄水を排出するための排出口３２が形成されている。
【００１９】
ここで、上述した本実施形態の水洗大便器装置１の便器本体２は、ボウル部２２内の洗浄水の落差により汚物を排出する洗い落し式の便器である。しかしながら、便器本体２は、この形式に限定されず、サイホン式やサイホンジェット式の便器、又は、便器本体２の排出口３２にフラップ弁を設けたフラップ弁方式の便器等についても適用可能である。
また、給水装置２４は、貯水タンクから洗浄水を供給するタンク方式のものであってもよい。
【００２０】
図２に示すように、水洗大便器装置１の粉砕圧送装置４は、汚物を粉砕する粉砕部３４と、この粉砕された汚物を屋内排水管８に圧送する圧送部３６を備えている。これらの粉砕部３４と圧送部３６には、これらを駆動させるための兼用の電動モーター３８が取り付けられている。ここで、電動モーター３８は、ＤＣブラシレスモーターであり、可変速制御が可能となっている。
【００２１】
また、水洗大便器装置１には、使用者が操作する操作部４０と、使用者に水洗大便器装置１の状態情報を報知するための報知部４２と、使用者による操作部４０の操作により、給水装置２４及び粉砕圧送装置４を制御すると共に報知部４２に水洗大便器装置１の状態情報を報知するための制御部４４が設けられている。
【００２２】
操作部４０には、操作スイッチ等が設けられ、この操作スイッチ等により、使用者が洗浄動作の開始を操作できるようになっている。また、操作部４０の操作スイッチ等が操作されると、その操作指令が制御部４４に送信され、制御部４４が、その指令に基づいて給水装置２４に給水指令を送り、給水装置２４からボウル部２２に所定時間給水が行われ、便器本体２が洗浄されるようになっている。さらに、制御部４４は、粉砕圧送装置４に作動信号を送り、粉砕圧送装置４を作動さえるようになっている。さらに、制御部４４は、水洗大便器装置１の状態情報を報知部４２に送るようになっている。なお、報知部４２は、ＬＥＤランプ及び/又は小型スピーカー等を備え、状態情報を使用者に視覚及び/又は音声で報知することができる。さらに、報知部４２は、制御部４４から指令により、ＬＥＤランプを点灯又は点滅させて、使用者に異常を知らせることができる。
【００２３】
次に、図３乃至図７により、水洗大便器装置１の粉砕圧送装置４について説明する。図３は本発明の実施形態による水洗大便器装置の粉砕圧送装置を示す断面図であり、図４は粉砕圧送装置の圧送部を示す拡大断面図であり、図５は粉砕圧送装置の圧送部の圧送室を下部カバーが取り外された状態で斜め下方から見た外観図であり、図６は図４の粉砕圧送装置の圧送部のポンプ室における汚物及び洗浄水の流れを概略的に示す図であり、図７は比較例の水洗大便器装置の粉砕圧送装置における圧送部のポンプ室における汚物及び洗浄水の流れを概略的に示す図である。
【００２４】
図３に示すように、粉砕圧送装置４は、上述した便器本体２の排水トラップ管路２６の排出口３２に接続され、汚物が洗浄水と共に流入するようになっている。
粉砕圧送装置４は、貯留槽４６を備え、この貯留槽４６の内部には、粉砕部３４が設けられている。粉砕部３４は、粉砕室４８を有し、この粉砕室４８は、周壁４８ａの内部に形成されている。粉砕室４８の周壁４８ａは、その一方側で上述した排水トラップ管路２６の排出口３２と連通している。粉砕室４８の下部には、粉砕室４８内で汚物を撹拌するための円盤５０が設けられている。この円盤５０は、電動モーター３８に取り付けられた回転軸５２（共通の回転駆動軸）に直結され、回転可能となっている。さらに、この円盤５０の上面には、多数の突起５０ａが形成され、これらの突起５０ａに汚物が引っ掛かり、撹拌され易くなっている。
【００２５】
具体的には、図３の矢印は、汚物及び洗浄水の流動状態を示しており、この矢印から明らかなように、円盤５０上に下降した汚物は、円盤５０の回転により、洗浄水と共に、外周側に移動し、周壁４８ａに衝突し、その後、周壁４８ａに沿って上昇し、さらに、内周側に移動しながら円盤５０上に下降する。汚物は、このようにして、上下方向に旋回しながら撹拌され、粉砕される。このように、粉砕部３４は、洗浄水を貯溜すると共にこの貯溜した洗浄水を攪拌することにより発生する水流により汚物を分解する水流分解式の粉砕部を構成している。なお、粉砕部３４は、カッター等の刃により物理的に汚物を粉砕する粉砕部であってもよい。
【００２６】
図３に示すように、周壁４８ａの円盤５０の外周側付近には、所定の大きさの多数の通過開口４８ｂ（通過規制部）が形成されている。これらの通過開口４８ｂにより、所定以下の大きさに粉砕された汚物のみが周壁４８ａを通過することができ、一方、所定の大きさより大きな汚物の通過は規制されるようになっている。
【００２７】
次に、図４乃至図５により、粉砕圧送装置４の圧送部３６について詳細に説明する。
圧送部３６は高揚程が実現可能な遠心式ポンプを形成している。圧送部３６は、ポンプ室５６を備え、このポンプ室５６の下部には、下部カバー５７が取り付けられ、この下部カバー５７の中央部に、汚物及び洗浄水が流入する流入口５８が形成されている。ポンプ室５６の外周側には汚物及び洗浄水が流出する流出口６０が形成されている。
圧送部３６は、さらに、このポンプ室５６の周方向流路外側壁６４の内側に配置され且つポンプ室５６内で回転するインペラ６２を備えている。このインペラ６２は、円盤形状の円盤部６６と、円盤部から部分的に下方に突出して設けられた突起部６８と、を備えている。
【００２８】
円盤部６６は、回転軸５２の下端に結合され、電動モーター３８により、回転するようになっている。回転軸５２は、少なくとも粉砕部３４と圧送部３６との間に延び、且つ電動モーター３８（駆動源）から粉砕部３４において洗浄水を攪拌する円盤５０の駆動力及び圧送部３６においてインペラ６２の円盤部６６を回転する駆動力を伝達する共通の回転駆動軸として形成されている。
【００２９】
インペラ６２の２つの突起部６８、すなわち２枚の羽根部分は、同じ形状であり、平面視で、点対称に配置され、突起部６８の間に形成され且つ流入口５８を中心にして、インペラ６２上で中央部から外周に向けて延びる２つの径方向流路７４を形成している。径方向流路７４は、下部に形成された流入口５８に連通し且つインペラ６２の外周外側に形成された後述する周方向流路７６と連通するようになっている。
また、インペラ６２の２つの突起部６８のそれぞれの外周側壁面６８ｂとポンプ室５６の周方向流路外側壁６４の間には、インペラ６２の外周を周方向に延びる周方向流路７６が形成される。インペラ６２において径方向流路７４が形成されている領域においては、この径方向流路７４の出口部分と、周方向流路外側壁６４との間に、周方向流路７６が形成される。周方向流路７６は、径方向流路７４と連通し、下流端の流出口部７６ｂがポンプ室５６の流出口６０と連通するようになっている。
【００３０】
径方向流路７４においては、インペラ６２の回転によって発生する遠心力により、汚物及び洗浄水が中央部から半径方向外側に向かって比較的強力に押し出され、且つ半径方向外側に向かって比較的強い流れを形成することとなる。ここで、本実施形態においては、圧送部３６の２つの突起部６８により形成される２つの径方向流路７４は、全体として、ほぼ直線状に延びる単一の流路を形成している。変形例として、インペラ６２の径方向流路７４は、異なる形状や個数の突起部により形成される異なる形状や個数の径方向流路であってもよく、例えば、３つの突起部により形成される３つの径方向流路であってもよく、又は、４つの突起部により形成される４つの径方向流路であってもよく、又は、多数の突起部により形成される多数の径方向流路であってもよい。
【００３１】
なお、本実施形態においては、圧送部３６のポンプ室５６内で回転するインペラ６２は、ポンプ室５６の上方に設けられ且つ上方に延びる回転軸５２に取付けられる円盤部６６と、この円盤部６６から下方に突出して設けられた突起部６８と、を備えているが、他の実施形態における水洗大便器装置において、圧送部のポンプ室内で回転するインペラは、ポンプ室の下方に設けられ且つ下方に延びる回転軸に取付けられた円盤部と、この円盤部から上方に突出して設けられた突起部と、を備えるような構成であってもよい。
【００３２】
次に、図４乃至図６により、粉砕圧送装置４の圧送部３６の周方向流路７６について詳細に説明する。
周方向流路７６は、インペラ６２の外周に沿って環状に流路を形成する。環状に形成される周方向流路７６の各領域の角度位置を角度の表現を用いて説明しやすくするため、下述の開始部７６ａの位置を角度０°とし、この開始部７６ａからインペラ６２の回転方向Ｄ１に沿って下流側に向かって徐々に角度が増加し、周方向流路７６内を一周して開始部７６ａの外側の流出口部７６ｂの位置の角度を３６０°として説明する。
【００３３】
周方向流路７６は、その全周のうち０°の角度位置に設けられる最も幅の狭い開始部７６ａと、ポンプ室５６の周方向流路外側壁６４の接線方向Ｄ２に沿ってほぼストレートに延び、開始部７６ａの外側の３６０°の角度位置を通るように形成されている流出口部７６ｂと、流出口部７６ｂと直線的な流路を形成するように、流出口部７６ｂに接続されるストレート部７６ｃと、周方向流路７６の全周のうち０°の角度位置且つ３６０°の角度位置において、内側の開始部７６ａと、外側の流出口部７６ｂとの間において、流路が分岐される分岐部７６ｄと、を備えている。
【００３４】
開始部７６ａは、周方向流路７６の中において最も幅の狭い部分、すなわち最も流路断面積の小さな部分を形成している。周方向流路７６内の流路の幅Ｗ１は、ポンプ室５６の周方向流路外側壁６４と、インペラ６２の外周側壁面６８ｂとの間の距離によって決定される。
ポンプ室５６の周方向流路外側壁６４は、０°の位置の開始部７６ａから所定角度の位置の変化点７６ｅまで、インペラ６２の回転方向Ｄ１に向かって、圧送部３６の中心Ｃから周方向流路外側壁６４までの半径Ｒ１が一定の増加率で徐々に増加している。従って、周方向流路外側壁６４の半径Ｒ１が０°の位置の開始部７６ａから所定角度の変化点７６ｅまで増加し、インペラの半径ｒ１は、その半径が一定であるので、周方向流路７６の幅Ｗ１は、開始部７６ａにおける最小の幅から、下流側に向かって、徐々に増加するように形成されている。このように、ポンプ室５６の周方向流路外側壁６４は、０°の位置の開始部７６ａから所定角度の変化点７６ｅまで、インボリュート曲線に沿って、半径Ｒ１が一定の増加率で徐々に増加するように形成されている。
【００３５】
流出口部７６ｂは、周方向流路外側壁６４の周方向流路７６の角度位置約３１５°近傍の領域から、周方向流路外側壁６４の接線方向Ｄ２に沿って外側に直線的に延びる流路を形成している。流出口部７６ｂは、分岐部７６ｄの外側において直線的に延びる流路を形成し、分岐部７６ｄによって外側に分岐された汚物及び洗浄水の流れを流出させるようになっている。
【００３６】
分岐部７６ｄは、周方向流路７６内を旋回してきた汚物及び洗浄水を、開始部７６ａ側と、流出口部７６ｂとに分岐させるようになっている。分岐部７６ｄにおいては、汚物及び洗浄水は、主に、流出口部７６ｂから圧送されるが、一部は、開始部７６ａに流入し、さらに周方向流路７６内を周回する。
【００３７】
直線的な流路を形成する流出口部７６ｂに加えて、さらに直線的な流路を延長するようにストレート部７６ｃが形成されている。ストレート部７６ｃは、周方向流路外側壁６４の接線方向Ｄ２に沿ってほぼ直線に延びる流路を形成している。より具体的には、ストレート部７６ｃは、流出口部７６ｂに入る直前の領域、例えば、周方向流路７６の角度位置約３００°〜３１５°近傍の領域において、周方向流路外側壁６４が直線的に形成され、直線的な流路が形成されている。ストレート部７６ｃは、後述するように周方向流路外側壁６４の変化点７６ｅの下流側において周方向流路外側壁６４の半径Ｒ２が増大されることから、周方向流路７６のコーナー部７６ｆ（流出口部７６ｂ部分に対向するような位置にある周方向流路７６のコーナー部）の下流側領域の周方向流路外側壁６４が、比較的小さい角度位置、例えば約３００°近傍の角度位置から流出口部外側壁７６ｇとほぼ直線上の位置関係となり、ストレート部７６ｃを形成するように形成されている。
なお、ストレート部７６ｃにおけるコーナー部７６ｆの下流側領域の周方向流路外側壁６４が、比較的大きな円弧に沿って形成され、且つやや湾曲して形成されていてもよい。すなわち、ストレート部７６ｃは、周方向流路外側壁６４がゆるやかに曲がり且つ内側の周方向流路７６がほぼ直線状の流路を形成している場合も含んでいる。
【００３８】
ポンプ室５６の周方向流路外側壁６４上の上記所定角度の変化点７６ｅは、１８０°〜２７０°の範囲の角度位置、より好ましくは、２００°〜２６０°の範囲の位置、さらに好ましくは２２０°〜２５０°の範囲の角度位置に形成されている。図６に示すように、上記所定角度の変化点７６ｅは、変化点７６ｅを境にして、その下流側の周方向流路外側壁６４の半径Ｒ２の増加率（変化率）を、その上流側の周方向流路外側壁６４の半径Ｒ１の増加率から増加させるように変化させている。
ポンプ室５６の周方向流路外側壁６４は、その変化点７６ｅの近傍において、この変化点７６ｅよりも下流側領域における圧送部３６の中心Ｃから周方向流路外側壁６４までの半径Ｒ２の増加率が、変化点７６ｅよりも上流側領域における同様の半径Ｒ１の増加率に対して、１．２倍以上且つ２０倍以下の範囲の大きさに形成され、より好ましくは、５倍以上且つ１０倍以下の範囲の大きさに形成されている。
ポンプ室５６の周方向流路外側壁６４は、その変化点７６ｅの角度位置、半径Ｒ２の増加率等により周方向流路７６のコーナー部７６ｆの形状が異なる。よって、ストレート部７６ｃの入口の形成される角度位置も、例えば２７０°〜３１５°の範囲のうちの角度位置、例えば約３００°、約２８０°又は約２７０°等の角度位置であってもよい。
【００３９】
所定角度の変化点７６ｅの上流側における周方向流路外側壁６４の半径のほぼ一定の増加率を、変化点７６ｅの下流側において、上記ほぼ一定の増加率よりもさらに増加させたほぼ一定の増加率とするので、所定角度の変化点７６ｅの下流側の周方向流路外側壁６４の半径Ｒ２の増加率が増大され、所定角度の変化点７６ｅの下流側の周方向流路の幅Ｗ２の拡がる割合が増大されている。ここで、ポンプ室５６の周方向流路外側壁６４は、変化点７６ｅからコーナー部７６ｆを通ってストレート部７６ｃに至るまでの領域における半径の増加率をほぼ一定とする。
変化点７６ｅの下流側の領域において、周方向流路外側壁６４の半径Ｒ２が増大され、流路が外側に膨らむように形成される。周方向流路外側壁６４が外側に膨らむように形成されることから、コーナー部７６ｆの頂部の湾曲部分の大きさが比較的小さく形成され、コーナー部７６ｆの下流側領域の周方向流路外側壁６４が、概ね直線状に形成される。従って、コーナー部７６ｆの下流側領域から、ストレート部７６ｃが形成される。流出口部７６ｂの直前に流出口部７６ｂと直線的に並ぶストレート部７６ｃが形成されることにより、ストレート部７６ｃの入口７６ｈから分岐部７６ｄまでの距離Ｌ１が、このストレート部７６ｃが形成されていない場合の流出口部７６ｂの入口７６ｉから分岐部７６ｄまでの距離Ｌ２と比べて、ストレート部７６ｃの長さの分だけ、直線状の流路の距離が長く形成されている。
【００４０】
本実施形態においては、周方向流路外側壁６４が、ストレート部７６ｃの入口７６ｈから分岐部７６ｄまでの距離Ｌ１にわたって、ほぼ直線状に形成される。これに対して、比較例においては、周方向流路外側壁１６４が、流出口部１７６ｂの入口１７６ｉから分岐部７６ｄまでの距離Ｌ２にわたって、ほぼ直線状に形成される。
また、本実施形態における流出口部７６ｂを通る中心軸線が、分岐部７６ｄの近傍からコーナー部７６ｆと交差する位置までの長さは、比較例における流出口部１７６ｂを通る中心軸線が、分岐部１７６ｄの近傍からコーナー部１７６ｆと交差する位置までの長さよりも長くされている。
【００４１】
本実施形態においては、変化点７６ｅの下流側の周方向流路外側壁６４の半径Ｒ２がほぼ一定の増加率で形成されているが、変形例として、変化点７６ｅの下流側の周方向流路外側壁６４の半径Ｒ２の増加率が変化するように形成されていてもよい。特に、図６において、変化点７６ｅの下流側の周方向流路外側壁６４を半径Ｒ３として示すように、コーナー部７６ｆ’の頂部が外側に突出するように形成してもよい。このように、コーナー部７６ｆ’の頂部を比較的小さな曲率半径を有する円弧により形成し、コーナー部７６ｆ’の下流側部分を、比較的長い直線部分として形成することにより、コーナー部７６ｆ’の内側の周方向流路７６内のストレート部７６ｃ’を非常に長く形成することができる。よって、繊維状の異物Ｆの向きを直線的な流れに沿って整えやすくなっている。
【００４２】
次に、図６及び図７により、本発明者らによる本発明の開発経緯について説明する。
図６においては、図５の粉砕圧送装置の圧送部の圧送室の周方向流路外側壁に変化点を設け、所定角度の変化点の領域の下流側に設けられるストレート部を長くするように、変化点の領域の近傍における周方向流路外側壁の半径の増加率を、上記一定の増加率よりもさらに増加させ、変化点の領域の下流側の周方向流路の幅を広げるように形成し、且つこの圧送室内の周方向流路において繊維状の異物が流れる様子を概略的に示しており、図７においては、比較例として、粉砕圧送装置の圧送部の圧送室の周方向流路外側壁をインボリュート曲線に沿って形成し、且つこの圧送室内の周方向流路において繊維状の異物が流れる様子を概略的に示している。
【００４３】
本発明の発明者らは、圧送部のポンプ室内の汚物を排出するために、なるべく高い圧送性能で、ポンプ室内の汚物及び洗浄水を排出することを検討していた。
先ず、比較例の水洗大便器装置における設計思想は、図７に示すように、圧送部の圧送室（ポンプ室）の圧送性能を重視して、ポンプ室の周方向流路外側壁の形状をインボリュート曲線に沿った形状に形成していた。遠心ポンプにおいては、周方向流路内を流れる洗浄水の流速エネルギーを、なるべく高い効率で、圧力エネルギーに変換することが重要であり、周方向流路の断面積を徐々にインボリュート曲線に沿った一定の割合で増大させることにより、流れの流速を減少させ、圧力を増大させる。従って、ポンプ室の周方向流路外側壁の形状をインボリュート曲線に沿って徐々に変化させ、高い圧送性能を実現することが、汚物及び異物の排出に貢献すると考えられてきた。このように、周方向流路外側壁の形状をインボリュート曲線に沿って徐々に変化させ、急激な変化を無くすことで、周方向流路内の流れの乱れを無くし、なるべく高い圧送性能で、ポンプ室内の汚物及び洗浄水を排出することが重要であると考えられてきた。
【００４４】
しかしながら、「ボックスティッシュ」や「流せるおしり拭き」等の異物が流された場合には、これら異物は、粉砕部にて繊維状の異物Ｆの状態までしか粉砕されないので、圧送部１３６に流入することとなった。圧送部１３６に流入された繊維状の異物Ｆは、インペラ６２の回転によって発生する遠心力により、径方向流路から周方向流路１７６に向かって流れ、図７に示すように、周方向流路１７６内を周回して流出口部１７６ｂから流出されることとなる。このとき、遠心力により、径方向流路から周方向流路１７６に向かって流れこみ、外側に向かう様な比較的強い水流が発生している状態となる。このとき、図７において矢印Ａ１に示すように、遠心力の力を受けて、水流の流れは外側に向かうようなベクトルを有しながら流れる。繊維状の異物Ｆは、繊維状であるがゆえに若干の長さを有し、遠心力の力を受けて、矢印Ａ１に示す向きに合わせて、周方向流路１７６内を、横向き姿勢で流れる。横向き姿勢とは、例えば、繊維状の異物Ｆの前端がやや外側に位置し、且つその後端がやや内側に位置するような位置関係を有するような姿勢をいい、又、例えば、繊維状の異物Ｆの全部又は一部が周方向流路７６内の流線に対して横向き又は斜め向きとなる姿勢をいう。
【００４５】
矢印Ａ１に示すように、横向き姿勢を有した状態で流れている繊維状の異物Ｆが、分岐部１７６ｄに到達した際に、繊維状の異物Ｆが、横向き姿勢を有しているため、分岐部１７６ｄに引っ掛りやすく、一旦、繊維状の異物Ｆが、分岐部１７６ｄに引っ掛ると、この引っ掛かった繊維状の異物Ｆが次々と新たな繊維状の異物Ｆが絡まり合って大きく成長し、圧送部内の狭い流路を塞ぐという、課題が生じた。
【００４６】
この課題に対して、本発明者らは、図６に示すように、圧送部を大型化することなく、且つ繊維状の異物Ｆが、分岐部７６ｄに引っ掛らないように、新たにストレート部７６ｃを形成し、分岐部７６ｄまでの直線状の流路をさらに長く形成して、繊維状の異物Ｆの姿勢を直線状の流線に沿った向きに整えることとした。
具体的には、図６に示すように、流出口部７６ｂと直線的な流路を形成するような、流出口部７６ｂに接続されるストレート部７６ｃを比較的長く形成するように、周方向流路外側壁６４上に変化点７６ｅを設け、この変化点７６ｅの下流側において周方向流路外側壁６４の半径Ｒ２が増大させ、且つ周方向流路７６の幅を広げるように形成した。
【００４７】
この結果、周方向流路７６内において、矢印Ａ２に示すような、遠心力の力を受けて、外側に向かうようなベクトルを有しながら流れ、且つ横向き姿勢で流れていた繊維状の異物Ｆが、ストレート部７６ｃ及び流出口部７６ｂにおいて、矢印Ａ３に示すような直線状の流れの中で、流れの流線に沿った縦向きの姿勢に変化する。矢印Ａ３に示すような直線状の流れにおいては、水流の流れは、主に、流出口部７６ｂに向かって直進するようなベクトルを有している。このように、繊維状の異物Ｆは、矢印Ａ３に示すように、流れの流線に沿った縦向きの姿勢に整えられることから、分岐部７６ｄに到達する繊維状の異物Ｆは、分岐部７６ｄに引っ掛りにくくなり、分岐部７６ｄ及び/又は開始部７６ａにおいて、繊維状の異物Ｆが絡まり合って大きく成長し、圧送部内の狭い流路を塞ぐことを確実に防止することができるようになった。
【００４８】
なお、変化点７６ｅにおいて、その変化点７６ｅの上流側における周方向流路外側壁６４の半径の増加率と、変化点７６ｅの下流側における周方向流路外側壁６４の半径の増加率とが、変化されるように形成されることにより、変化点７６ｅにおいて若干の水流の乱れを生じさせる可能性があり、本発明による水洗大便器装置は、従来の便器装置に比べて圧送性能（ポンプ性能）が低下するが、本発明者らは、分岐部７６ｄ及び/又は開始部７６ａにおいて、繊維状の異物Ｆが絡まり合って大きく成長し、圧送部３６内の狭い流路を塞ぐことをより確実に防止することができるようになった。
【００４９】
図８においては、角度に対する周方向流路７６の幅の変化を、本実施形態の水洗大便器装置における圧送部のものと、比較例の水洗大便器装置における圧送部のものとでそれぞれ計測して比べた結果を示している。縦軸は周方向流路７６の半径方向の流路の幅の大きさ[mm]を示し、横軸は角度[°]を示している。
本実施形態においては、周方向流路７６の幅Ｗ１は、０°の角度位置の開始部７６ａにおける最小の幅から、所定角度（本実施形態においては約２４０°の角度）の角度位置の変化点７６ｅまでほぼ一定の増加率（変化率）で徐々に増加するように形成されている。所定角度の変化点７６ｅは、変化点７６ｅを境にして、その下流側の周方向流路外側壁６４の半径Ｒ２の増加率（変化率）を、その上流側の周方向流路外側壁６４の半径Ｒ１の増加率から増加させるように変化させている。周方向流路外側壁６４の半径Ｒ２の増加率もほぼ一定の増加率となっている。変化点７６ｅを境にして、その下流側の周方向流路７６の幅Ｗ２の増加率（変化率）は、その上流側の周方向流路７６の幅Ｗ１の増加率からさらに増加していることが分かる。本実施形態においては、変化点７６ｅは、約２４０°の角度位置に設けられ、ストレート部７６ｃの開始位置は、約３００°の角度位置に位置している。
これに対し、比較例の水洗大便器装置における圧送部においては、周方向流路外側壁１６４はインボリュート曲線に沿った形状に形成され、開始部１７６ａから、流出口部１７６ｂまで周方向流路１７６の幅Ｗ３がほぼ一定の増加率で徐々に増加するように形成されている。比較例においては、変化点７６ｅは設けられておらず、直線的な流路を形成する流出口部１７６ｂの入口位置は、約３１５°の角度位置に位置している。
【００５０】
次に、図２、図３及び図６により、上述した本発明の実施形態による水洗大便器装置の動作（作用）を説明する。図２、図３及び図６において、各矢印は、汚物及び洗浄水の流動状態を示している。
【００５１】
先ず、使用者が便器本体２を洗浄水により洗浄するために操作部４０の操作スイッチ等を操作することにより、洗浄動作が開始される。操作部４０の操作スイッチ等が操作されると、その操作指令が制御部４４に送信され、制御部４４が、その指令に基づいて給水装置２４に給水指令を送り、給水装置２４からボウル部２２に所定時間給水が行われ、便器本体２が洗浄される。また、制御部４４から電動モーター３８に動作指令が送られ、電動モーター３８の回転動作が開始される。
【００５２】
汚物及び洗浄水は、洗浄水の落差により、排水トラップ管路２６から排出され、排出口３２を通って、粉砕圧送装置４の粉砕室４８内に流入し、円盤５０上に下降する。粉砕室４８では、既に円盤５０が回転しており、円盤５０上に下降した汚物は、洗浄水と共に、円盤５０の回転により、外周側に移動し、周壁４８ａに衝突し、その後、周壁４８ａに沿って上昇し、さらに、内周側に移動しながら下降し、このようにして、上下方向に旋回しながら撹拌され、粉砕される（図３参照）。
【００５３】
次に、図３及び図４に示すように、周壁４８ａの円盤５０の外周側付近には、所定の大きさの多数の通過開口４８ｂが形成されているので、粉砕室４８で粉砕された汚物のうち、通過開口４８ｂの大きさよりも小さなものは、通過開口４８ｂから、下流側の流路５４に排出される。なお、この通過開口４８ｂの大きさよりも大きな汚物は、引き続き、所定の大きさ以下になるまで、粉砕室４８内で上下方向に撹拌され粉砕される。
【００５４】
粉砕された汚物は、洗浄水と共に、流路５４から、圧送部３６のポンプ室５６の下面の中央部に形成された流入口５８から、ポンプ室５６内に流入する。ポンプ室５６内に流入した汚物及び洗浄水は、突起部６８の間に形成された径方向流路７４に流入し、ポンプ室５６の中央部から、インペラ６２の回転によって発生する遠心力により、径方向流路７４から周方向流路７６に向かって流れる。また、遠心力により径方向流路７４から周方向流路７６の外周側に押し出された汚物と洗浄水は、その流れの勢い及び方向を維持した状態で周方向流路７６に流入する。よって、周方向流路７６に流入した汚物及び洗浄水は、矢印Ａ２に示すように、インペラ６２の遠心力により、周方向流路７６の中心軸線よりも外側に向かうような大きさ及び向きを有するベクトルを有する流れを形成する。
【００５５】
汚物及び洗浄水は、遠心力を受けて、周方向流路７６内を開始部７６ａから、流出口部７６ｂに向かって周回するように流れる。このとき、周方向流路７６は、流路断面積が開始部７６ａから徐々に大きくなるように形成されており、洗浄水の流速エネルギーが徐々に圧力エネルギーに変換され、洗浄水が流出口部７６ｂから圧送される。
【００５６】
より詳細な流れを説明する。汚物及び洗浄水の流れは、０°の位置の開始部７６ａから所定角度の位置の変化点７６ｅの近傍領域まで、周方向流路外側壁６４に沿って下流側（周回方向）に向かう流れと、遠心力により外側に向かう流れとが相俟って、矢印Ａ２に示すような外側に向かうベクトルを有する流れを形成する。このとき、繊維状の異物Ｆは、糸くず状、繊維状であるがゆえに若干の長さを有し、遠心力の力を受けて、矢印Ａ２に示すような水流の向きと同様の横向きの姿勢を有しながら、周方向流路７６内を流れることとなる。例えば、繊維状の異物Ｆが矢印Ａ２に示すような水流の向きに沿って流れる場合には、繊維状の異物Fの前端が周方向流路外側壁６４近傍（周方向流路７６の外側近傍）に位置し、その後端がインペラ６２の外周側壁面６８ｂ近傍（周方向流路７６の内側近傍）に位置するような横向きの姿勢を繊維状の異物Fが形成しながら流れる。繊維状の異物Ｆは、遠心力の力を受けるので、横向きの姿勢を取りやすくなっている。
【００５７】
繊維状の異物Fがコーナー部７６ｆの下流側領域のストレート部７６ｃに流入すると、ストレート部７６ｃ及び流出口部７６ｂの直線的な流路に沿って流れる。ほぼ直線状の流路が、流出口部７６ｂを延長するようにさらにストレート部７６ｃを加えた流路によって比較的長い距離にわたって形成されるので、繊維状の異物Fがストレート部７６ｃ及び流出口部７６ｂの直線的な流路内を流れる際に、横向きの姿勢から直線的な流路の流線に沿った縦向きの姿勢（矢印Ａ３に示すような流れの流線に平行な向きの姿勢）に整えられる。直線状の流路が、ストレート部７６ｃを加えた分比較的長く形成できるため、繊維状の異物Fの向きを直線的な流れに沿って修正しやすくなっている。
また、ストレート部７６ｃ及び流出口部７６ｂの直線的な流路においては、周方向流路外側壁６４が、ほぼ直線状の連続した壁面を形成しているので、汚物及び洗浄水の流れは、周方向流路外側壁６４に沿って直線的に整った流れを形成しやすく、乱れにくくなっている。従って、この流れに含まれる繊維状の異物Fの向きを直線的な流れに沿って整えやすくなっている。
【００５８】
繊維状の異物Fが分岐部７６ｄ近傍に至るとき、汚物及び洗浄水の大部分は、分岐部７６ｄの外側の流路の流出口部７６ｂから直線的に流出され、圧送部３６から圧送される。また、汚物及び洗浄水の一部分は、分岐部７６ｄの内側の流路に流れ、開始部７６ａに流入する。このとき、汚物及び洗浄水の流れに含まれる繊維状の異物Fの向きが、矢印Ａ３に示すような、縦向きの姿勢に整えられているので、汚物及び洗浄水の流れが分岐部７６ｄにおいて分岐される際に、繊維状の異物Fが分岐部７６ｄに横向きの姿勢で引っ掛ることが抑制又は防止される。従って、引っ掛かった繊維状の異物Ｆに次々と新たな繊維状の異物Ｆが絡まり合って大きく成長し、周方向流路７６を詰まらせることを防止できる。
【００５９】
この後、ポンプ室５６内の汚物及び洗浄水は、流出口６０から排出される。圧送部３６により排出された汚物及び洗浄水は、屋内排水管８を通り、屋外排水管２０に排出され、汚物の排出動作が完了する。
【００６０】
次に、上述した本実施形態による水洗大便器装置１による作用効果を説明する。
このように構成された本発明においては、便器本体２に例えば「ボックスティッシュ」や「流せるおしり拭き」のような異物が流されると、粉砕部３４で粉砕されて繊維状となり圧送部３６に流入する。流入口５８から圧送部３６内に流入する繊維状の異物Ｆ及び洗浄水は、インペラ６２の回転によって発生する遠心力によって径方向流路７４から外側の周方向流路７６に流れる。周方向流路７６内の異物及び洗浄水は、周方向流路７６を周回し、流出口部７６ｂから流出する。しかしながら、この際に、繊維状の異物Ｆが開始部と、流出口部７６ｂとの間において流路が分岐される分岐部７６ｄに引っ掛かり、引っ掛かった繊維状の異物Ｆに次々と新たな繊維状の異物が絡まり合って大きく成長し、周方向流路７６を詰まらせるという新しい問題が発生する。
しかしながら、本実施形態による水洗大便器装置１によれば、圧送部３６の周方向流路外側壁６４は、変化点７６ｅの下流側に設けられるほぼ直線状の流路を長くするように、変化点７６ｅの下流側における周方向流路外側壁６４の半径Ｒ２の増加率を、変化点７６ｅの上流側における半径Ｒ１の一定の増加率よりも増加させ、変化点７６ｅの下流側の周方向流路７６の幅Ｗ２を広げるように形成されている。
従って、流出口部７６ｂに至るほぼ直線状の流路が比較的長くなるため、繊維状の異物Ｆが流出口部７６ｂに向かう際の繊維状の異物Ｆの姿勢を直線的な流れに沿う向きに向かせることができ、繊維状の異物Ｆが分岐部７６ｄに引っ掛かることを防止し、これにより、引っ掛かった繊維状の異物Ｆに次々と新たな繊維状の異物Ｆが絡まり合って大きく成長し、周方向流路７６を詰まらせることを防止できる。
【００６１】
また、本実施形態による水洗大便器装置１によれば、圧送部３６の周方向流路外側壁６４は、変化点７６ｅの下流側に設けられるほぼ直線状の流路を長くするように、変化点７６ｅの下流側における周方向流路外側壁６４の半径Ｒ２の増加率を、変化点７６ｅの上流側における半径Ｒ１の一定の増加率よりも所定の範囲で増加させ、変化点７６ｅの下流側の周方向流路７６の幅を広げるように形成されている。
従って、より確実に流出口部７６ｂに接続されるほぼ直線状の流路が長くなるため、繊維状の異物Ｆが流出口部７６ｂに向かう際の繊維状の異物の姿勢を直線的な流れに沿う向きに向かせることができ、繊維状の異物Ｆが分岐部７６ｅに引っ掛かることをより確実に防止することができる。
【００６２】
さらに、本実施形態による水洗大便器装置１によれば、変化点７６ｅからストレート部７６ｃに至るまでの領域において、汚物及び洗浄水が乱れることを抑制することができる。従って、流出口部７６ｂから流出する汚物及び洗浄水が乱れることを抑制することができる。
【符号の説明】
【００６３】
１        水洗大便器装置
２        便器本体
４        粉砕圧送装置
６        屋内給水管
８        屋内排水管
１０      床
１２      脚
１４      アームレスト
１６      建物
１６ａ    屋内
１６ｂ    屋外
１８      屋外給水管
２０      屋外排水管
２２      ボウル部
２４      給水装置
２６      排水トラップ管路
２８      給水弁
３０      導水路
３２      排出口
３４      粉砕部
３６      圧送部
３８      電動モーター
４０      操作部
４２      報知部
４４      制御部
４６      貯留槽
４８      粉砕室
４８ａ    周壁
４８ｂ    通過開口
５０      円盤
５０ａ    突起
５２      回転軸
５４      流路
５６      ポンプ室
５７      下部カバー
５８      流入口
６０      流出口
６２      インペラ
６４      周方向流路外側壁
６６      円盤部
６８      突起部
６８ｂ    外周側壁面
７４      径方向流路
７６      周方向流路
７６ａ    開始部
７６ｂ    流出口部
７６ｃ    ストレート部
７６ｄ    分岐部
７６ｅ    変化点
７６ｆ    コーナー部
７６ｇ    流出口部外側壁
７６ｈ    入口
７６ｉ    入口
１３６    圧送部
１６４    周方向流路外側壁
１７６    周方向流路
１７６ａ  開始部
１７６ｂ  流出口部
１７６ｄ  分岐部
１７６ｆ  コーナー部
１７６ｉ  入口
Ａ１      矢印
Ａ２      矢印
Ａ３      矢印
Ｃ        中心
Ｄ１      回転方向
Ｄ２      接線方向
Ｆ        異物
Ｌ１      距離
Ｌ２      距離
ｒ１      半径
Ｒ１      半径
Ｒ２      半径
Ｒ３      半径
Ｗ１      幅
Ｗ２      幅
Ｗ３      幅
【図１】
0006564659.tif 000002
【図２】
0006564659.tif 000003
【図３】
0006564659.tif 000004
【図４】
0006564659.tif 000005
【図５】
0006564659.tif 000006
【図６】
0006564659.tif 000007
【図７】
0006564659.tif 000008
【図８】
0006564659.tif 000009